(57)【要約】      （修正有） 【課題】容易に持ち運びができ、水中では浮きとして利用できる座椅子を提供する。【解決手段】座椅子１には、使用者が着座する着座面１１と、前記着座面１１に対向する背負い面とを有する座部１０と、使用者がもたれる背もたれ面２１を有し、前記座部１０に連結された背もたれ部２０とを備える。前記座部内１０には、浮力材を配置する。前記背負い面には、使用者が背負うための背負い紐１４を配置する。前記背もたれ面２１と前記着座面１１とを離間させた座椅子形態と、前記背もたれ面２１と前記着座面１１とを近接させた運搬形態とに変形可能とする。【選択図】図１
0003181145.tif 000002
【実用新案登録請求の範囲】
【請求項１】
使用者が着座する着座面と、前記着座面に対向する背負い面とを有する座部と、
使用者がもたれる背もたれ面を有し、前記座部に連結された背もたれ部とを備え、
前記座部内には、浮力材が配置され、
前記背負い面には、使用者が背負うための背負い紐が配置され、
前記背もたれ面と前記着座面とを離間させた座椅子形態と、前記背もたれ面と前記着座面とを近接させた運搬形態とに変形可能であることを特徴とする座椅子。
【請求項２】
前記浮力材は、発泡ポリエチレンである請求項１に記載の座椅子。
【請求項３】
前記背もたれ部には、小物などを収納する袋部が設けられた請求項１または２に記載の座椅子。
【請求項４】
前記座部の前記着座面と、前記背もたれ部の背もたれ面とが近接位置にあるときに、着座面と背もたれ面とが離間するのを防止する固定手段を備えた請求項１〜３のいずれかに記載の座椅子。
【考案の詳細な説明】
【技術分野】
【０００１】
本考案は、座椅子に関する。
【背景技術】
【０００２】
従来、バックパックにクッション材が設けられた椅子を組み合わせることにより、持ち運びができる椅子が知られている（特許文献１参照）。
【０００３】
また、近年、津波や洪水の災害から身を守るものが求められている。
【先行技術文献】
【特許文献】
【０００４】
【特許文献１】特表平１１−５０２４３８号公報
【考案の概要】
【考案が解決しようとする課題】
【０００５】
しかしながら、このような持ち運びができる椅子は、津波や洪水などの災害時において、浮きとして利用することが想定されていなかった。
【０００６】
本考案は、上述した事情に鑑みてなされたものであり、その目的は、容易に持ち運びができ、水中では浮きとして利用できる座椅子を提供することにある。
【課題を解決するための手段】
【０００７】
［１］使用者が着座する着座面と、前記着座面に対向する背負い面とを有する座部と、
使用者がもたれる背もたれ面を有し、前記座部に連結された背もたれ部とを備え、
前記座部内には、浮力材が配置され、
前記背負い面には、使用者が背負うための背負い紐が配置され、
前記背もたれ面と前記着座面とを離間させた座椅子形態と、前記背もたれ面と前記着座面とを近接させた運搬形態とに変形可能であることを特徴とする座椅子。
［２］前記浮力材は、発泡ポリエチレンである前項１に記載の座椅子。
［３］前記背もたれ部には、小物などを収納する袋部が設けられた前項１または２に記載の座椅子。
［４］前記座部の前記着座面と、前記背もたれ部の背もたれ面とが近接位置にあるときに、着座面と背もたれ面とが離間するのを防止する固定手段を備えた前項１〜３のいずれかに記載の座椅子。
【考案の効果】
【０００８】
前項［１］の考案によると、背もたれ面と着座面とを離隔させて座椅子形態に変形させることにより、座椅子として使用でき、背もたれ面と着座面とを近接させて運搬形態に変形させることにより、コンパクトに折り畳んだ状態で運搬できる。
【０００９】
さらに、このような座椅子において、座部内に浮力材が配置されているため、津波や洪水の災害時に、浮力材は、浮きとして作用するとともに、座椅子の形態に変化させたときには、浮力材が配置された座部の上に使用者が着座できるため、緩衝材としても作用することで座り心地を良くできる。
【００１０】
前項［２］の考案によると、浮力材に発泡ポリエチレンを採用したため、高い浮力を付与できる。
【００１１】
前項［３］の考案によると、背もたれ部には小物などを収納する袋部が設けられているため、上記考案において、避難グッズなどを収納できる。
【００１２】
前項［４］の考案によると、前記背もたれ部の背もたれ面とが近接位置にあるときに、着座面と背もたれ面とが離間するのを防止する固定手段を備えたため、意図しないときに運搬形態から座椅子形態に変形するのを防止できる。
【図面の簡単な説明】
【００１３】
【図１】図１は、本考案の一実施形態にかかる座椅子の座椅子形態を示す概略斜視図である。
【図２】図２は、本考案の一実施形態にかかる座椅子の運搬形態を示す概略斜視図である。
【考案を実施するための形態】
【００１４】
次に、本考案の一実施形態にかかる座椅子１について、図１および図２を参照して説明する。
【００１５】
図１および図２に示すように、一実施形態にかかる座椅子１は、座部１０と、背もたれ部２０とを備えている。
【００１６】
座部１０は、使用者が着座する着座面１１と、この着座面１１に対向する背負い面１２とを有している。この座部１０内には、座部の形を形成するように、フレームと浮力材とが配置されており、その上から張地で被覆されているものである。
【００１７】
この浮力材は、例えば発泡ポリエチレンを採用している。浮力材は、大人の男性が水中でつかまっても沈まないようなもの、例えば、浮力が、１０ｋｇ以上のものを採用している。
【００１８】
背もたれ部２０は、使用者がもたれる側（着座面１１と接する側）に背もたれ面２１を有している。背もたれ部２０は、座部１０に連結されている。詳述すると、背もたれ部２０内には、背もたれ部の形を形成するように、フレームと浮力材が配置され、その上から張地で被覆されている。この背もたれ部のフレームは、座部のフレームと連結されている。
【００１９】
背負い面１２には、使用者が背負うための背負い紐１４が２本配置されている。２本の背負い紐１４は、その上端が背負い面１２の上部に縫合され、その下端が座椅子１の底面に縫合されている。
【００２０】
また、この２本の背負い紐１４には、胸ベルト１５が１個取り付けられている。背負い面１２の対向側には、小物などを収納する袋部が１個設けられている。この袋部は、スライドファスナーによって開閉できるようになっている。また、背もたれ部２０の上部には、取っ手２４が縫合されている。また、スライドファスナーや張地には撥水加工が施されている。
【００２１】
座椅子１は、座部１０の着座面１１と背もたれ部２０の背もたれ面２１とが近接位置にあるときに、着座面１１と背もたれ面２１とが離間するのを防止する固定手段３０を備えている。この固定手段３０は、スライドファスナーを採用している。このスライドファスナーは、座部１０の着座面１１の周縁１１ａと、背もたれ部２０の背もたれ面２１の周縁２１ａとに取り付けられている。
【００２２】
着座面１１と背もたれ面２１とが近接する状態において、このスライドファスナーを閉めたときには、着座面１１と背もたれ面２１とが密着した運搬形態で固定できる。
【００２３】
一方、スライドファスナーを開けた時には、着座面１１と背もたれ面２１とが離間させることができ、座椅子形態に変形できる。
【００２４】
次に、一実施形態の使用方法について説明する。
【００２５】
本考案の座椅子１を座椅子形態にするためには、使用者は、固定手段３０であるスライドファスナーを開いて、背もたれ面２１と着座面１１とを離間させる。これにより、使用者は、座椅子として使用できる。
【００２６】
本考案の座椅子１を運搬形態にするためには、使用者は、背もたれ面２１と着座面１１とが密着するように近接させて、固定手段３０であるスライドファスナーを閉める。これにより、背もたれ面２１と着座面１１とを固定できる。この状態において、使用者は、背負い紐１４を用いて運搬する。
【００２７】
本考案の座椅子１を水中で使用する方法について説明すると、座椅子形態または運搬形態のいずれの形態において、座椅子１は、その浮力材により水面に浮くため、使用者は、その形態を問わず座椅子１を水面に浮かべ、この浮いている座椅子１の上からしがみついて使用する。
【００２８】
本実施形態の座椅子は、次の利点がある。
【００２９】
すなわち、上記実施形態によると、この座部１０内には、座部の形を形成するように、フレームと浮力材とが配置されており、その上から張地で被覆され、さらに、背もたれ部２０内には、背もたれ部の形を形成するように、フレームと浮力材が配置され、その上から張地で被覆され、この背もたれ部のフレームは、座部のフレームと連結されている。
【００３０】
このため、スライドファイスナーを開いて、背もたれ面２１と着座面１１とを離間させて座椅子形態に変形させることにより、座椅子として使用でき、背もたれ面２１と着座面１１とを近接させて、スライドファスナーを閉めて、背もたれ面２１と着座面１１とを固定して、運搬形態に変形させることにより、コンパクトに折り畳んだ状態で運搬できる。
【００３１】
さらに、上記実施形態によると、このような座椅子１において、座部１０に浮力材が配置されているため、津波や洪水の災害時に、浮力材は、浮きとして作用するとともに、座椅子形態に変化させたときには、浮力材が配置された座部１０の上に使用者が着座できるため、緩衝材としても作用することで座り心地を良くできる。
【００３２】
さらに、上記実施形態によると、浮力材に発泡ポリエチレンを採用したため、高い浮力を付与できる。
【００３３】
さらに、上記実施形態によると、固定手段３０としてスライドファスナーを採用したため、確実に、着座面１１と背もたれ面２１とが離間するのを防止できる。
【００３４】
以上、本考案を一実施形態に基づいて説明してきたが、本考案は上記実施形態に限定されるものではなく、その考案の範囲内で適宜変更することができ、例えば、以下のように構成して良い。
【００３５】
（１）上記一実施形態では、浮力材として発泡ポリエチレンを採用したが、本考案はこの実施形態に限定されるものではなく、大人の男性が水中でつかまっても沈まないようなものであれば良く、例えば、発砲ポリプロピレン、発砲ポリスチレン等を採用できる。
【００３６】
（２）上記一実施形態では、座部１０内には、座部の形を形成するように、フレームと浮力材とが配置されており、その上から張地で被覆されているとしたが、本考案はこの実施形態に限定されるものではなく、例えば、浮力材を複数層にしてもよく、浮力材の上から、さらに緩衝材を敷いても良い。また、緩衝材として、例えば、ウレタンフォームを採用できる。
【００３７】
（３）上記一実施形態では、浮力材を座部１０および背もたれ部２０にそれぞれ配置したが、本考案はこの実施形態に限定されるものではなく、少なくとも座部１０内に浮力材を配置すればよい。
【００３８】
（４）上記一実施形態では、固定手段３０は、スライドファスナーを採用しているが、本考案は上記実施形態に限定されるものではなく、座椅子１は、座部１０の着座面１１と背もたれ部２０の背もたれ面２１とが近接位置にあるときに、着座面１１と背もたれ面２１とが離間するのを防止できるものであれば良く、例えば、ボタン、面ファスナー等を固定手段３０として採用できる。
【符号の説明】
【００３９】
１      座椅子
１０    座部
１１    着座面
１１ａ  周縁
１２    背負い面
１４    背負い紐
１５    胸ベルト
２０    背もたれ部
２１    背もたれ面
２１ａ  周縁
２３    スライドファスナー
２４    取っ手
３０    固定手段  
【図１】
0003181145.tif 000003
【図２】
0003181145.tif 000004
【手続補正書】
【提出日】平成24年11月22日(2012.11.22)
【手続補正１】
【補正対象書類名】実用新案登録請求の範囲
【補正対象項目名】請求項１
【補正方法】変更
【補正の内容】
【請求項１】
使用者が着座する着座面と、前記着座面に対向する背負い面とを有する座部と、
使用者がもたれる背もたれ面を有する背もたれ部とを備え、
前記座部内には、座部の形を形成するようにフレームと浮力材とが配置され、
前記背もたれ部内には、背もたれ部の形を形成するようにフレームが配置され、
前記背もたれ部のフレームは、座椅子として使用できる状態又は着座面と背もたれ面とが密着する状態に変形可能に、前記座部のフレームと連結され、
前記背負い面には、使用者が背負うための背負い紐が配置されたことを特徴とする座椅子。
【手続補正２】
【補正対象書類名】明細書
【補正対象項目名】０００７
【補正方法】変更
【補正の内容】
【０００７】
［１］使用者が着座する着座面と、前記着座面に対向する背負い面とを有する座部と、
使用者がもたれる背もたれ面を有する背もたれ部とを備え、
前記座部内には、座部の形を形成するようにフレームと浮力材とが配置され、
前記背もたれ部内には、背もたれ部の形を形成するようにフレームが配置され、
前記背もたれ部のフレームは、座椅子として使用できる状態又は着座面と背もたれ面とが密着する状態に変形可能に、前記座部のフレームと連結され、
前記背負い面には、使用者が背負うための背負い紐が配置されたことを特徴とする座椅子。
［２］前記浮力材は、発泡ポリエチレンである前項１に記載の座椅子。
［３］前記背もたれ部には、小物などを収納する袋部が設けられた前項１または２に記載の座椅子。
［４］前記座部の前記着座面と、前記背もたれ部の背もたれ面とが近接位置にあるときに、着座面と背もたれ面とが離間するのを防止する固定手段を備えた前項１〜３のいずれかに記載の座椅子。